(57)【要約】【課題】温度保護素子の信頼性低下を抑制しつつ、光源装置の温度保護を良好に図れる投写型表示装置を提供する。【解決手段】電力供給ラインＳＬは、第１のラインＬ１と第２のラインＬ２に分岐される。第１のラインＬ１は、ＬＦランプ電源５００ａおよびＬＲランプ電源５００ｂのそれぞれに接続される２つのラインに分岐されるとともに、第２のラインＬ２は、ＲＦランプ電源５００ｃおよびＲＲランプ電源５００ｄのそれぞれに接続される２つのラインに分岐される。ＬＦ温度ヒューズ４０１ａとＬＲ温度ヒューズ４０１ｂは、２つのラインに分岐される前の第１のラインＬ１において、電気的に直列接続され、ＲＦ温度ヒューズ４０１ｃとＲＲ温度ヒューズ４０１ｄは、２つのラインに分岐される前の第２のラインＬ２において、電気的に直列接続される。【選択図】図８
2013029680.tif 000002
【特許請求の範囲】
【請求項１】
第１の光源、第２の光源、第３の光源および第４の光源を含む光源装置と、
前記光源装置から出射された光を変調する光変調部と、
商用電源から供給される電力信号から各光源の駆動するための駆動信号を生成し、生成した駆動信号をそれぞれ対応する光源に供給する第１の電源、第２の電源、第３の電源および第４の電源と、
前記各光源の周囲にそれぞれ配された第１の温度保護素子、第２の温度保護素子、第３の温度保護素子および第４の温度保護素子と、
を備え、
前記電力信号が流れる電力供給ラインは、前記第１の電源および前記第２の電源に前記電力信号を流す第１のラインと、前記第３の電源および前記第４の電源に前記電力信号を流す第２のラインに分岐され、
前記第１のラインは、前記第１の電源および前記第２の電源のそれぞれに接続される２つのラインに分岐されるとともに、前記第２のラインは、前記第３の電源および前記第４の電源のそれぞれに接続される２つのラインに分岐され、
前記第１の温度保護素子および前記第２の温度保護素子は、２つのラインに分岐される前の前記第１のラインにおいて、電気的に直列接続され、前記第１の光源および前記第２の光源の温度に基づいて、前記第１のラインに流れる前記電力信号を遮断し、
前記第３の温度保護素子および前記第４の温度保護素子は、２つのラインに分岐される前の前記第２のラインにおいて、電気的に直列接続され、前記第３の光源および前記第４の光源の温度に基づいて、前記第２のラインに流れる前記電力信号を遮断する、
ことを特徴とする投写型表示装置。
【請求項２】
請求項１に記載の投写型表示装置において、
前記第１の光源と前記第２の光源が隣り合うとともに、前記第３の光源と前記第４の光源が隣り合い、
前記第１の光源と前記第３の光源が対向するとともに、これら光源の間に、これら光源から出射された光を反射して同じ方向に導く第１の反射部が設けられ、
前記第２の光源と前記第４の光源が対向するとともに、これら光源の間に、これら光源から出射された光を反射して前記第１の反射部による反射方向と同じ方向に導く第２の反射部が設けられる、
ことを特徴とする投写型表示装置。
【請求項３】
請求項２に記載の投写型表示装置において、
前記第１の光源および前記第２の光源に対して、前記第１の反射部および前記第２の反射部と反対側に、前記第１の温度保護素子および前記第２の温度保護素子が並んで配置され、
前記第３の光源および前記第４の光源に対して、前記第１の反射部および前記第２の反射部と反対側に、前記第３の温度保護素子および前記第４の温度保護素子が並んで配置される、
ことを特徴とする投写型表示装置。
【請求項４】
請求項１に記載の投写型表示装置において、
前記光源装置を冷却するための複数の冷却部を、さらに備え、
前記複数の冷却部は、
前記第１の光源に対する冷却能力と前記第２の光源とに対する冷却能力とが相対的に近くなり、
前記第３の光源に対する冷却能力と前記第４の光源とに対する冷却能力とが相対的に近くなる、
ように配置されている、
ことを特徴とする投写型表示装置。
【請求項５】
請求項１ないし４の何れか一項に記載の投写型表示装置において、
前記各温度保護素子は、温度ヒューズを含む、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
投写型表示装置（以下、「プロジェクタ」という）では、光源から出射された光が光変調素子よって変調され、変調された光（以下、「映像光」という）が、投写レンズによって被投写面に投写される。光源には、たとえば、ランプが用いられる。
【０００３】
ランプの周囲には、ランプ自身の劣化、ランプを冷却する冷却装置による冷却性能の低下などの要因によりランプが過熱状態となった際にランプを保護するため、温度保護手段として、たとえば、温度ヒューズが配される（特許文献１参照）。温度ヒューズの他、サーモスタットなどの温度保護素子が配されても良い。
【０００４】
ランプには、バラスト等からなるランプ電源から、ランプを駆動するための駆動信号が供給される。温度保護素子は、たとえば、商用電源からランプ電源への電力供給ラインに配される。
【０００５】
ランプが過熱状態となり、温度保護素子の温度が設定温度を超えると、温度保護素子が作動して、商用電源装置からランプ電源への電力信号が遮断され、ランプが強制的に停止される。
【先行技術文献】
【特許文献】
【０００６】
【特許文献１】特開２００６−２１５１３８号公報
【発明の概要】
【発明が解決しようとする課題】
【０００７】
ところで、複数のランプにより光源装置を構成する、いわゆる多灯式のプロジェクタが知られている。かかるプロジェクタでは、各ランプに対応するように、ランプ毎に温度保護素子が配され得る。
【０００８】
複数のランプのうち、１つのランプに対応する温度保護素子が作動した場合、たとえば、その原因がランプ自身でなく、冷却性能の低下であるような場合には、そのランプのみならず、そのランプに近いランプや全てのランプが過熱状態となる可能性がある。
【０００９】
そこで、光源装置の温度保護を手厚く図るためには、電力供給ラインにおいて、各ランプに対応するランプ電源へのラインが分岐される前に、全ての温度保護素子を電気的に直列接続する構成とし、何れかの温度保護素子が作動することにより、全てのランプへの駆動信号が停止されるようにすることが望ましい。
【００１０】
しかしながら、このような構成とした場合、各温度保護素子には、全てのランプ電源に流れる電流（１つのランプ電源に流れる電流をＩ、ランプ電源の個数をＮとするとＮ×Ｉ）が流れる。よって、１つの温度保護素子に、かなり大きな電流が流れるため、温度保護素子の自己発熱が大きくなる。こうなると、温度保護素子には、ランプによる温度に、さらに、自己発熱による比較的高い温度が加わることとなるので、ランプが過熱状態に至っていないにも係らず、温度保護素子が作動し、ランプが停止してしまう、という誤動作が生じ得る。これにより、温度保護素子の信頼性が低下する虞がある。
【００１１】
本発明は、かかる課題に鑑みてなされたものであり、温度保護素子の信頼性低下を抑制しつつ、光源装置の温度保護を良好に図れる投写型表示装置を提供することを目的とする。
【課題を解決するための手段】
【００１２】
本発明の投写型表示装置は、第１の光源、第２の光源、第３の光源および第４の光源を含む光源装置と、前記光源装置から出射された光を変調する光変調部と、商用電源から供給される電力信号から各光源の駆動するための駆動信号を生成し、生成した駆動信号をそれぞれ対応する光源に供給する第１の電源、第２の電源、第３の電源および第４の電源と、前記各光源の周囲にそれぞれ配された第１の温度保護素子、第２の温度保護素子、第３の温度保護素子および第４の温度保護素子と、を備える。ここで、前記電力信号が流れる電力供給ラインは、前記第１の電源および前記第２の電源に前記電力信号を流す第１のラインと、前記第３の電源および前記第４の電源に前記電力信号を流す第２のラインに分岐される。また、前記第１のラインは、前記第１の電源および前記第２の電源のそれぞれに接続される２つのラインに分岐されるとともに、前記第２のラインは、前記第３の電源および前記第４の電源のそれぞれに接続される２つのラインに分岐される。そして、前記第１の温度保護素子および前記第２の温度保護素子は、２つのラインに分岐される前の前記第１のラインにおいて、電気的に直列接続され、前記第１の光源および前記第２の光源の温度に基づいて、前記第１のラインに流れる前記電力信号を遮断する。また、前記第３の温度保護素子および前記第４の温度保護素子は、２つのラインに分岐される前の前記第２のラインにおいて、電気的に直列接続され、前記第３の光源および前記第４の光源の温度に基づいて、前記第２のラインに流れる前記電力信号を遮断する。
【００１３】
なお、各温度保護素子として、たとえば、温度ヒューズが用いられる。
【００１４】
本発明の投写型表示装置によれば、第１の光源または第２の光源の何れかが過熱状態となり、第１の温度保護素子または第２の温度保護素子の何れかが作動すると、第１の電源および第２の電源の双方への電力信号が遮断されることにより、第１の光源および第２の光源が停止される。また、第３の光源または第４の光源の何れかが過熱状態となり、第３の温度保護素子または第４の温度保護素子の何れかが作動すると、第３の電源および第４の電源の双方への電力信号が遮断されることにより、第３の光源および第４の光源が停止される。
【００１５】
このように、１つの温度保護素子よって温度異常が検出されれば、２つの光源が停止されるので、１つの温度保護素子に対応する光源のみが停止する場合に比べて、光源装置の手厚い温度保護を図ることができる。
【００１６】
しかも、１つの温度保護素子には、２つの電源分の電流が流れるだけであるため、自己発熱による温度保護素子の温度上昇を抑制でき、温度保護素子の誤動作を抑制できる。
【００１７】
本発明の投写型表示装置は、前記第１の光源と前記第２の光源が隣り合うとともに、前記第３の光源と前記第４の光源が隣り合うような構成とされ得る。この場合、前記第１の光源と前記第３の光源が対向するとともに、これら光源の間に、これら光源から出射された光を反射して同じ方向に導く第１の反射部が設けられる。さらに、前記第２の光源と前記第４の光源が対向するとともに、これら光源の間に、これら光源から出射された光を反射して前記第１の反射部による反射方向と同じ方向に導く第２の反射部が設けられる。
【００１８】
このような構成とすれば、１つの温度保護素子の動作により同時に停止される２つの光源が、互いに隣り合っているために、一方の光源が過熱すれば他方の光源がその影響を受
けやすい状況下にある２つの光源とされる。よって、温度保護素子の自己発熱を抑制しながら、より効果的な光源装置の温度保護を図ることができる。
【００１９】
上記の構成とした場合、さらに、前記第１の光源および前記第２の光源に対して、前記第１の反射部および前記第２の反射部と反対側に、前記第１の温度保護素子および前記第２の温度保護素子が並んで配置され、前記第３の光源および前記第４の光源に対して、前記第１の反射部および前記第２の反射部と反対側に、前記第３の温度保護素子および前記第４の温度保護素子が並んで配置されるような構成とされ得る。
【００２０】
このような構成とすれば、直列接続される２つの温度保護素子が近くに配置されるので、２つの温度保護素子を繋ぐ電線の長さを抑えることができる。
【００２１】
本発明の投写型表示装置は、前記光源装置を冷却するための複数の冷却部を、さらに備えるような構成とされ得る。この場合、前記複数の冷却部は、前記第１の光源に対する冷却能力と前記第２の光源に対する冷却能力とが相対的に近くなり、前記第３の光源に対する冷却能力と前記第４の光源に対する冷却能力とが相対的に近くなる、ように配置される。
【００２２】
このような構成とすれば、１つの温度保護素子の動作により同時に停止される２つの光源が、これら光源に対する冷却能力が近いため、同じような温度環境となる２つの光源とされる。よって、温度保護素子の自己発熱を抑制しながら、より効果的な光源装置の温度保護を図ることができる。
【発明の効果】
【００２３】
以上のとおり、本発明によれば、温度保護素子の信頼性低下を抑制しつつ、光源装置の温度保護を良好に図れる投写型表示装置を提供することができる。
【００２４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２５】
【図１】実施の形態に係るプロジェクタの外観構成を示す図である。
【図２】実施の形態に係るプロジェクタの内部構造を示す図である。
【図３】実施の形態に係る光学系の構成を示す図である。
【図４】実施の形態に係る光源装置の構成を示す図である。
【図５】実施の形態に係る光源装置の構成を示す図である。
【図６】実施の形態に係るランプユニットの構成を示す図である。
【図７】実施の形態に係る温度ヒューズユニットの構成を示す図である。
【図８】実施の形態に係るランプユニットの駆動に係わる構成を示すブロック図である。
【図９】実施の形態に係るランプ電源の構成を示す図である。
【発明を実施するための形態】
【００２６】
以下、図面を参照して、実施の形態に係るプロジェクタについて説明する。
【００２７】
＜プロジェクタの全体構成＞
図１は、プロジェクタの外観構成を示す図である。本実施の形態に係るプロジェクタは、４つのランプユニットを備えており、いわゆる、４灯タイプの大型のプロジェクタである。
【００２８】
図１を参照して、プロジェクタは、略直方体形状を有する本体キャビネット１を備えている。本体キャビネット１は、下キャビネット２と、下キャビネット２に上方から被せられる上キャビネット３とで構成されている。
【００２９】
上キャビネット３の前面中央部には投写窓４が形成されており、投写レンズ５の前面が投写窓４を通じて外部に露出している。
【００３０】
また、上キャビネット３には、前面から上面にかけて、メイン開口を覆うメインカバー６が設けられている。メイン開口は、投写レンズ５やプリズムユニットの交換、偏光板等の調整を行うために設けられている。上キャビネット３の上面後部には、４つのランプ用開口をそれぞれ覆う４つのランプ用カバー７が設けられている。各ランプ用開口は、各ランプユニットの交換を行うため、各ランプユニットの上方に設けられている。
【００３１】
さらに、上キャビネット３の右側面には、入出力端子部８が設けられている。入出力端子部８には各種ＡＶ端子が配されており、ＡＶ端子を通じてＡＶ（Audio Visual）信号が入力される。
【００３２】
下キャビネット２の左右の側面には、それぞれ、取手９が２つずつ設けられている。取手９は、プロジェクタを持ち運ぶ際に用いられる。
【００３３】
図２は、プロジェクタの内部構造を示す図であり、上キャビネット３が外された状態を示す。
【００３４】
図２を参照して、下キャビネット２の内部には、光源装置１０と、光源装置１０から出射された光を変調して映像光を生成する光学系１１とが配されている。
【００３５】
光源装置１０は、下キャビネット２の後部に配されている。光学系１１は、光源装置１０の前方に配されている。光学系１１は、下キャビネット２に配され、プリズムユニット１２が、上方から着脱ができるように、光学系１１に配されている。なお、光源装置１０および光学系１１の詳細な構成については追って説明する。
【００３６】
光学系１１の前方には、投写レンズ５が配されている。投写レンズ５は、光学系１１により生成された映像光を拡大し、スクリーン等の被投写面に投写する。
【００３７】
光学系１１の左側には、第１ランプ電源装置１３が配されており、光源装置１０の右側には、第２ランプ電源装置１４が配されている。第１ランプ電源装置１３は、左側の前後２つのランプユニットに対してそれぞれ電力を供給する２つのランプ電源を含む。第２ランプ電源装置１４は、右側の前後２つのランプユニットに対してそれぞれ電力を供給する２つのランプ電源を含む。
【００３８】
第２ランプ電源装置１４の前方には、メイン電源装置１５が配されている。メイン電源装置１５は、光学系１１を構成する電装部品（液晶パネル等）、制御基板１７等に電力を供給する。
【００３９】
第２ランプ電源装置１４の下には、ノイズフィルタを備えるフィルタユニット１６が配されている。商用電源からの交流電力がフィルタユニット１６を介して第１ランプ電源装置１３、第２ランプ電源装置１４およびメイン電源装置１５にそれぞれ供給される。
【００４０】
光学系１１の上方には、制御基板１７が配される。制御基板１７には、液晶パネル、ラ
ンプユニット等の電装部品を制御するための制御回路が備えられている。なお、図２では、光学系１１が見えるよう、制御基板１７が破線にて示されている。
【００４１】
光源装置１０は、光源装置１０の後側に配された第１排気ユニット１８、および第２排気ユニット１９を含む。第１排気ユニット１８および第２排気ユニット１９は、後述する第１冷却ユニットおよび第２冷却ユニットから４つのランプユニットに供給され、ランプユニットを冷却することにより温まった冷却風を吸い込んで、外部に排出する。
【００４２】
第１ランプ電源装置１３の前方には、第１電源冷却ファン２０が配されている。第１電源冷却ファン２０は、後方の第１ランプ電源装置１３に送風して第１ランプ電源装置１３を冷却する。第２ランプ電源装置１４とメイン電源装置１５の間には、第２電源冷却ファン２１が配されている。第２電源冷却ファン２１が動作すると、本体キャビネット１内に取り込まれた空気が、冷却風としてメイン電源装置１５を通り、第２電源冷却ファン２１に吸い込まれる。さらに、第２電源冷却ファン２１から送出された冷却風が第２ランプ電源装置１４に供給される。これにより、メイン電源装置１５および第２ランプ電源装置１４が冷却される。
【００４３】
なお、第１電源冷却ファン２０からの冷却風は、第１ランプ電源装置１３を通過して、さらに、光源装置１０の左側の２つのランプユニットにも供給される。よって、光源装置１０では、左側の２つのラップユニットに対する冷却能力が、右側の２つのランプユニットに対する冷却能力よりも少し高くなっている。
【００４４】
即ち、光源装置１０に関与する第１冷却ユニット、第２冷却ユニット、第１排気ユニット１８、第２排気ユニット１９および第１電源冷却ファン２０の配置構成により、左側２つのランプユニットに対する冷却能力が相対的に近くなっており、右側２つのランプユニットに対する冷却能力が相対的に近くなっている。一方、左側２つのランプユニットに対する冷却能力と右側２つのランプユニットに対する冷却能力が相対的に遠くなっている。
【００４５】
＜光学系の構成＞
図３は光学系１１の構成を示す図である。
【００４６】
図３に示すように、光学系１１は、導光光学系１０１、３つの透過型の液晶パネル１０２、１０３、１０４と、ダイクロイックプリズム１０５とを備えている。なお、液晶パネル１０２、１０３、１０４の入射側と出射側には図示しない偏光板が配されている。
【００４７】
光源装置１０から出射された白色光は、導光光学系１０１に入射する。導光光学系１０１は、フライアイインテグレータ、ＰＢＳアレイ、コンデンサレンズ、ダイクロイックミラー、平面ミラー、リレーレンズ等を備える。導光光学系１０１に入射した白色光は、赤色波長帯の光（以下、「Ｒ光」という）と、緑色波長帯の光（以下、「Ｇ光」という）と、青色波長帯の光（以下、「Ｂ光」という）に分離され、液晶パネル１０２、１０３、１０４に照射される。これら液晶パネル１０２、１０３、１０４によって変調されたＲ光、Ｇ光、Ｂ光は、ダイクロイックプリズム１０５によって色合成され、映像光として出射される。なお、液晶パネル１０２、１０３、１０４、ダイクロイックプリズム１０５は、一体化され、プリズムユニット１２を構成する。
【００４８】
なお、光学系１１を構成する光変調素子としては、上記透過型の液晶パネル１０２、１０３、１０４の他、反射型の液晶パネルや、ＭＥＭＳデバイスを用いることもできる。また、上記のように３つの光変調素子を備えた３板式の光学系ではなく、たとえば、１つの光変調素子とカラーホイールを用いた単板式の光学系とされても良い。
【００４９】
＜光源装置の構成＞
図４および図５は、光源装置１０の構成を示す図である。図４は光源装置１０を前斜め方向から見た斜視図であり、図５は光源装置１０を後斜め方向から見た斜視図である。
【００５０】
図４および図５を参照して、光源装置１０は、下キャビネット２に固定されたランプ装着ユニット２００と、ランプ装着ユニット２００に装着される４つのランプユニット３００により構成されている。
【００５１】
ランプ装着ユニット２００は、ハウジング２１０と、２つのミラー部材２２０と、４つの第１ＵＶカット部材２３０と、第２ＵＶカット部材２４０とを備えている。
【００５２】
ハウジング２１０は、樹脂材料により形成されており、中央に配された２つのミラー配置部２１１と、ミラー配置部２１１の両側に形成された４つのランプ収容部２１２とを備えている。前側のミラー配置部２１１の底面は、後側のミラー配置部２１１の底面より低くされている。また、前側の左右２つのランプ収容部２１２の底面は、後側の左右２つのランプ収容部２１２の底面よりも低くされている。ミラー配置部２１１には、ミラー部材２２０が配置され、ランプ収容部２１２には、ランプユニット３００が装着される。なお、ミラー配置部２１１の上方は、ミラー部材２２０が配置された後に、図示しないミラーカバーにより覆われる。
【００５３】
ミラー部材２２０は、Ｖ字状に形成されたベース部材２２１の前面に、Ｖ字状に形成された平面ミラー２２２が取り付けられた構成を有する。ミラー部材２２０は、ランプユニット３００から出射された光を反射して前方へ導く。
【００５４】
第１ＵＶカット部材２３０は、紫外線の通過を阻止するＵＶカットガラス２３１を備えている。各第１ＵＶカット部材２３０は、各ランプ収容部２１２と、それに対応するミラー配置部２１１との間に配される。
【００５５】
第２ＵＶカット部材２４０は、紫外線の通過を阻止するＵＶカットガラスであり、前側のミラー配置部２１１の前方に配置される。第２ＵＶカット部材２４０の高さは、後側のミラー部材２２０により反射されて前方に向かう光の光路より高くなるように設定されている。
【００５６】
図６は、ランプユニット３００の構成を示す図である。図６（ａ）は、ランプユニット３００を前斜め方向から見た斜視図である。図６（ｂ）は、ランプユニット３００を後斜め方向から見た斜視図である。
【００５７】
図６を参照して、ランプユニット３００は、ランプ３１０と、ランプ３１０を保持するランプホルダ３２０により構成されている。ランプ３１０は、白色の光を発する発光管３１１と、発光管３１１から発せられた白色光を反射するリフレクター３１２を備えている。ランプ３１０には、たとえば、超高圧水銀ランプ、キセノンランプ等が用いられる。
【００５８】
ランプホルダ３２０は、樹脂材料により形成されており、ホルダ本体３２１と底板３２２とを備えている。ホルダ本体３２１の前面には、ランプ３１０からの光が出射される出射窓３２３が形成されている。出射窓３２３には、耐熱性のガラス板３２４が嵌め込まれている。ホルダ本体３２１は底面が開口しており、下方からランプ３１０が装着される。ホルダ本体３２１の底面の前半分に底板３２２が取り付けられ、底板３２２によってランプ３１０の底部が支えられる。
【００５９】
ホルダ本体３２１の上面には取手３２５が設けられている。取手３２５は、ランプユニ
ット３００を持ち運ぶ際やランプ装着ユニット２００に対して着脱する際に用いられる。
【００６０】
図４および図５に戻り、ランプ装着ユニット２００に４つのランプユニット３００が組み込まれた状態において、左右の前後２つのランプユニット３００は、それぞれ、互いに隣り合っている。また、前列の左右２つのランプユニット３００は、前側のミラー部材２２０を挟んで対向しており、後列の左右２つのランプユニット３００は、後側のミラー部材２２０を挟んで対向している。
【００６１】
プロジェクタの運転が行われると、各ランプユニット３００から光が出射される。図４に示すように、各ランプユニット３００から出射された光は、対応する第１ＵＶカット部材２３０を通過し、その際に紫外線が除去される。そして、各第１ＵＶカット部材２３０を通過した光は、各ランプユニット３００に対応するミラー部材２２０により光源装置１０の前方に反射されて一つの光に合成される。このとき、前方の２つのランプユニット３００は、後方の２つのランプユニット３００より低い位置に配されている。このため、後方のランプユニット３００からの光が前方のランプユニット３００に遮られることはない。合成された光は、第２ＵＶカット部材２４０を通過し、さらに紫外線が除去される。このようにして、４つのランプユニット３００からの光が合成されことにより、光源装置１０からは高輝度な光が出射される。
【００６２】
ランプ装着ユニット２００の後面には、左側に第１排気ユニット１８が、右側に第２排気ユニット１９が、中央に第３排気ユニット２２が、それぞれ取り付けられている。また、ランプ装着ユニット２００の底面には、左側に第１冷却ユニット２３が、右側に第２冷却ユニット２４が、それぞれ取り付けられている。
【００６３】
第１冷却ユニット２３は、左側の前後のランプ収容部２１２にそれぞれ対応する２つの冷却ファンを備えており、これら冷却ファンから送出された冷却風が、対応するランプ収容部２１２に供給される。これにより、左側の前後２つのランプユニット３００が冷却される。
【００６４】
第２冷却ユニット２４は、右側の前後のランプ収容部２１２にそれぞれ対応する２つの冷却ファンを備えており、これら冷却ファンから送出された冷却風が、対応するランプ収容部２１２に供給される。これにより、右側の前後２つのランプユニット３００が冷却される。
【００６５】
第１排気ユニット１８には、２つの排気ファン１８ａ、１８ｂが上下２段に配されている。上側の排気ファン１８ａは、左後ろのランプ収容部２１２内のランプユニット３００を冷却することにより温まった冷却風を吸い込んで外部に排出する。また、下側の排気ファン１８ｂは、左前のランプ収容部２１２内のランプユニット３００を冷却することにより温まった冷却風を、ダクト２５０を介して吸い込み、外部に排出する。
【００６６】
第２排気ユニット１９には、２つの排気ファン１９ａ、１９ｂが上下２段に配されている。上側の排気ファン１９ａは、右後ろのランプ収容部２１２内のランプユニット３００を冷却することにより温まった冷却風を吸い込んで外部に排出する。また、下側の排気ファン１９ｂは、右前のランプ収容部２１２内のランプユニット３００を冷却することにより温まった冷却風を、ダクト２６０を介して吸い込み、外部に排出する。
【００６７】
第３冷却ユニット２２には、排気ファン２２ａが配されている。排気ファン２２ａは、前後のミラー配置部２１１内の空気を吸い込んで外部に排出する。これにより、ミラー配置部２１１内には、新たな空気が導入され、導入された空気によりミラー部材２２０が冷却される。
【００６８】
各ランプ収容部２１２の側壁２１２ａの近傍には、各ランプユニット３００に対応する温度ヒューズユニット４００が配されている。左側の前後２つの温度ヒューズユニット４００は、ダクト２５０の前側および後側に形成された装着板２５１に装着されている。また、右側の前後２つの温度ヒューズユニット４００は、ダクト２６０の前側および後側に形成された装着板２６１に装着されている。
【００６９】
即ち、左側の前後２つの温度ヒューズユニット４００（温度ヒューズ）は、左側の前後２つのランプユニット３００に対して、前後のミラー部材２２０と反対側に、前後に並ぶように配置されている。また、右側の前後２つの温度ヒューズユニット４００（温度ヒューズ）は、右側の前後２つのランプユニット３００に対して、前後のミラー部材２２０と反対側に、前後に並ぶように配置されている。
【００７０】
各装着板２５１、２６１には、温度ヒューズユニット４００に隣接するようにして、中継ユニット２７０が装着されている。ランプ電源装置１３、１４側からの電線と、ランプユニット３００側からの電線とが中継ユニット２７０によって中継される。
【００７１】
図７は、温度ヒューズユニット４００の構成を示す図である。温度ヒューズユニット４００は、温度ヒューズ４０１と、温度ヒューズ４０１が収容されるヒューズホルダ４０２を備える。ヒューズホルダ４０２には、温度ヒューズ４０１を収容するために上面と前面に開口が形成され、これら開口がホルダカバー４０３により覆われている。
【００７２】
温度ヒューズ４０１は、フィルタユニット１６からランプ電源装置１３、１４への交流電力の供給ラインに配されている。第１冷却ユニット２３および第２冷却ユニット２４の冷却性が低下するなど、何らかの要因によりランプユニット３００が過熱状態となり、温度ヒューズ４０１の温度が設定温度を超えると、温度ヒューズ４０１が切れる。これにより、ランプ電源装置１３、１４へ交流電力が供給されなくなるため、ランプユニット３００への電力供給が遮断される。
【００７３】
＜ランプユニットの駆動に係わる構成＞
図８は、ランプユニット３００の駆動に係わる構成を示すブロック図である。
【００７４】
なお、以下、説明の便宜上、ランプユニット３００を個別に特定する場合には、図５に示された左前方のランプユニット３００を、ＬＦランプユニット３００ａと称する。同様に、左後方、右前方および右後方のランプユニット３００を、それぞれ、ＬＲランプユニット３００ｂ、ＲＦランプユニット３００ｃ、ＲＲランプユニット３００ｄと称する。また、ＬＦランプユニット３００ａ、ＬＲランプユニット３００ｂ、ＲＦランプユニット３００ｃ、ＲＲランプユニット３００ｄにそれぞれ対応する温度ヒューズ４０１を、ＬＦ温度ヒューズ４０１ａ、ＬＲ温度ヒューズ４０１ｂ、ＲＦ温度ヒューズ４０１ｃ、ＲＲ温度ヒューズ４０１ｄと称する。図８には、ランプユニット３００、温度ヒューズ４０１を個別に特定する名称および符号が記載されている。
【００７５】
図２において説明した通り、第１ランプ電源装置１３は、ＬＦランプユニット３００ａに対応するＬＦランプ電源５００ａと、ＬＲランプユニット３００ｂに対応するＬＲランプ電源５００ｂとを含む。また、第２ランプ電源装置１４は、ＲＦランプユニット３００ｃに対応するＲＦランプ電源５００ｃと、ＲＲランプユニット３００ｄに対応するＲＲランプ電源５００ｄとを含む。
【００７６】
プロジェクタに設けられた電源プラグＰＬが商用電源に接続される。商用電源からは交流電力信号が供給される。
【００７７】
商用電源から各ランプ電源５００ａ〜５００ｄへ交流電力信号を供給するための電力供給ラインＳＬは、第１の分岐点Ｐ１において、第１のラインＬ１と第２のラインＬ２に分岐される。
【００７８】
第１のラインＬ１は、第２の分岐点Ｐ２において、２つのラインに分岐され、分岐されたラインが、それぞれＬＦランプ電源５００ａおよびＬＲランプ電源５００ｂに接続される。また、第２のラインＬ２は、第３の分岐点Ｐ３において、２つのラインに分岐され、分岐されたラインが、それぞれＲＦランプ電源５００ｃおよびＲＲランプ電源５００ｄに接続される。
【００７９】
フィルタユニット１６は、２つのノイズフィルタ６０１、６０２を含む。ノイズフィルタ６０１は、第１のラインＬ１に配され、第１のラインＬ１を流れる交流電力信号に含まれるノイズを除去する。ノイズフィルタ６０２は、第２のラインＬ２に配され、第２のラインＬ２を流れる交流電力信号に含まれるノイズを除去する。
【００８０】
ノイズフィルタ６０１と第２の分岐点Ｐ２との間の第１のラインＬ１に、ＬＦ温度ヒューズ４０１ａとＬＲ温度ヒューズ４０１ｂとが、電気的に直列接続となるように配されている。また、ノイズフィルタ６０２と第３の分岐点Ｐ３との間の第２のラインＬ２に、ＲＦ温度ヒューズ４０１ｃとＲＲ温度ヒューズ４０１ｄとが、電気的に直列接続となるように配されている。
【００８１】
図９（ａ）、（ｂ）は、ランプ電源５００ａ〜５００ｄの構成を示す図である。
【００８２】
図９（ａ）に示すように、第１ランプ電源装置１３内には、力率改善ユニット５１０と、ＬＦバラストユニット５３０ａと、ＬＲバラストユニット５３０ｂが配されている。
【００８３】
力率改善ユニット５１０は、基板５１１を備える。基板５１１上には、ＬＦ力率改善回路５４０ａと、ＬＲ力率改善回路５４０ｂと、入力側コネクタ５１２と、２つの出力側コネクタ５１３、５１４が実装されている。入力側コネクタ５１２には、ＬＲ温度ヒューズ４０１ｂからの電線（第１のラインＬ１）が接続される。入力側コネクタ５１２とＬＦ力率改善回路５４０ａおよびＬＲ力率改善回路５４０ｂとは、基板５１１に形成された導電パターンにより接続される。この導電パターンを途中で分岐することにより、第２の分岐点Ｐ２が形成される。ＬＦ力率改善回路５４０ａと出力側コネクタ５１３とも導電パターンにより接続され、ＬＲ力率改善回路５４０ｂと出力側コネクタ５１４とも導電パターンにより接続される。出力側コネクタ５１３にはＬＦバラストユニット５３０ａからの電線が接続され、出力側コネクタ５１４にはＬＲバラストユニット５３０ｂからの電線が接続される。
【００８４】
ＬＦランプ電源５００ａには、ＬＦ力率改善回路５４０ａとＬＦバラストユニット５３０ａとが含まれ、ＬＲランプ電源５００ｂには、ＬＲ力率改善回路５４０ｂとＬＲバラストユニット５３０ｂとが含まれる。
【００８５】
図９（ｂ）に示すように、第２ランプ電源装置１４内には、力率改善ユニット５２０と、ＲＦバラストユニット５３０ｃと、ＲＲバラストユニット５３０ｄが配されている。
【００８６】
力率改善ユニット５２０は、基板５２１を備える。基板５２１上には、ＲＦ力率改善回路５４０ｃと、ＲＲ力率改善回路５４０ｄと、入力側コネクタ５２２と、２つの出力側コネクタ５２３、５２４が実装されている。入力側コネクタ５２２には、ＲＲ温度ヒューズ４０１ｄからの電線（第２のラインＬ２）が接続される。入力側コネクタ５２２とＲＦ力
率改善回路５４０ｃおよびＲＲ力率改善回路５４０ｄとは、基板５２１に形成された導電パターンにより接続される。この導電パターンを途中で分岐することにより、第３の分岐点Ｐ３が形成される。ＲＦ力率改善回路５４０ｃと出力側コネクタ５２３とも導電パターンにより接続され、ＲＲ力率改善回路５４０ｄと出力側コネクタ５２４とも導電パターンにより接続される。出力側コネクタ５２３にはＲＦバラストユニット５３０ｃからの電線が接続され、出力側コネクタ５２４にはＲＲバラストユニット５３０ｄからの電線が接続される。
【００８７】
ＲＦランプ電源５００ｃには、ＲＦ力率改善回路５４０ｃとＲＦバラストユニット５３０ｃとが含まれ、ＲＲランプ電源５００ｄには、ＲＲ力率改善回路５４０ｄとＲＲバラストユニット５３０ｄとが含まれる。
【００８８】
力率改善回路５４０ａ〜５４０ｄは、電流波形を電圧波形に相似させ、電流波形を正弦波に近づけることにより、商用電源側から見た力率を改善する。また、交流電力信号を直流電力信号に変換し、対応するバラストユニット５３０ａ〜５３０ｄに出力する。
【００８９】
バラストユニット５３０ａ〜５３０ｄは、力率改善回路５４０ａ〜５４０ｄから入力された直流電力信号を、ランプユニット３００ａ〜３００ｄ（ランプ３１０）の駆動に適する矩形の交流電力信号に変換し、変換した交流電力信号を、駆動信号として、対応するランプユニット３００ａ〜３００ｄに供給し、ランプユニット３００ａ〜３００ｄを駆動する。
【００９０】
さて、かかる構成において、ＬＦランプユニット３００ａまたはＬＲランプユニット３００ｂが過熱状態となると、ＬＦ温度ヒューズ４０１ａまたはＬＲ温度ヒューズ４０１ｂが切れる。ＬＦ温度ヒューズ４０１ａおよびＬＲ温度ヒューズ４０１ｂは、第１のラインＬ１において直列接続されているので、どちらかの温度ヒューズが切れれば、ＬＦランプ電源５００ａおよびＬＲランプ電源５００ｂの双方への交流電力信号が遮断される。これにより、ＬＦランプユニット３００ａおよびＬＲランプユニット３００ｂの双方が停止される。
【００９１】
また、ＲＦランプユニット３００ｃまたはＲＲランプユニット３００ｄが過熱状態となると、ＲＦ温度ヒューズ４０１ｃまたはＲＲ温度ヒューズ４０１ｄが切れる。ＲＦ温度ヒューズ４０１ｃおよびＲＲ温度ヒューズ４０１ｄは第２のラインＬ２において直列接続されているので、どちらかの温度ヒューズが切れれば、ＲＦランプ電源５００ｃおよびＲＲランプ電源５００ｄの双方への交流電力信号が遮断される。これにより、ＲＦランプユニット３００ｃおよびＲＲランプユニット３００ｄの双方が停止される。
【００９２】
＜本実施の形態の効果＞
以上、本実施の形態によれば、１つの温度ヒューズ４０１よって温度異常が検出されれば、２つのランプユニット３００が停止されるので、１つの温度ヒューズ４０１に対応するランプユニット３００のみが停止する場合に比べて、光源装置１０の手厚い温度保護を図ることができる。
【００９３】
しかも、１つの温度ヒューズ４０１には、２つのランプ電源分の電流が流れるだけであるため、自己発熱による温度ヒューズ４０１の温度上昇を抑制でき、温度ヒューズ４０１の誤動作を抑制できる。
【００９４】
したがって、温度ヒューズ４０１の信頼性低下を抑制しつつ、光源装置１０を良好に保護することができる。
【００９５】
また、本実施の形態によれば、１つの温度ヒューズ４０１が切れることにより同時に停止される２つのランプユニット３００が、ＬＦランプユニット３００ａおよびＬＲランプユニット３００ｂの２つのランプユニット３００と、ＲＦランプユニット３００ｃおよびＲＲランプユニット３００ｄの２つのランプユニット３００に設定されている。これら２つのランプユニット３００は、光源装置１０において隣り合っており、一方のランプユニット３００が過熱すれば他方のランプユニット３００がその影響を受けやすい状況下にある。また、これら２つのランプユニット３００は、これらランプユニット３００に対する冷却能力が近いため、同じような温度環境となっている。
【００９６】
したがって、１つの温度ヒューズ４０１が切れることにより同時に停止されるランプユニット３００を上記の組み合わせとすることにより、温度ヒューズ４０１の自己発熱を抑制しながら、より効果的な光源装置１０の温度保護を図ることができる。
【００９７】
さらに、本実施の形態によれば、直列接続されるＬＦ温度ヒューズ４０１ａ（左前の温度ヒューズユニット４００）とＬＲ温度ヒューズ４０１ｂ（左後の温度ヒューズユニット４００）が、ランプ装着ユニット２００の左側面近傍に並ぶように配置されている。また、直列接続されるＲＦ温度ヒューズ４０１ｃ（右前の温度ヒューズユニット４００）とＲＲ温度ヒューズ４０１ｄ（右後の温度ヒューズユニット４００）が、ランプ装着ユニット２００の右側面近傍に並ぶように配置されている。
【００９８】
したがって、ＬＦ温度ヒューズ４０１ａとＬＲ温度ヒューズ４０１ｂとを繋ぐ電線の長さを抑えることができ、ＲＦ温度ヒューズ４０１ｃとＲＲ温度ヒューズ４０１ｄとを繋ぐ電線の長さを抑えることができる。
【００９９】
＜その他＞
以上、本実施の形態について説明したが、本発明は上記実施の形態に何ら制限されるものではなく、また、本発明の実施形態も、上記実施の形態に以外に、種々の変更が可能である。
【０１００】
たとえば、上記実施の形態では、温度保護素子として、温度ヒューズ４０１が用いられている。しかしながら、これに限らず、たとえば、サーモスタットが用いられても良い。
【０１０１】
また、上記実施の形態では、光源装置１０の左側に配されたＬＦランプユニット３００ａおよびＬＲランプユニット３００ｂのそれぞれのランプ電源５００ａ、５００ｂが第１のラインＬ１により商用電源に接続され、ランプユニット３００ａ、３００ｂにそれぞれ対応するＬＦ温度ヒューズ４０１ａおよびＬＲ温度ヒューズ４０１ｂが第１のラインＬ１において直列接続されている。また、光源装置１０の右側に配されたＲＦランプユニット３００ｃおよびＲＲランプユニット３００ｄのそれぞれのランプ電源５００ｃ、５００ｄが第２のラインＬ２により商用電源に接続され、ランプユニット３００ｃ、３００ｄにそれぞれ対応するＲＦ温度ヒューズ４０１ｃおよびＲＲ温度ヒューズ４０１ｄが第２のラインＬ２において直列接続されている。
【０１０２】
しかしながら、これに限らず、たとえば、光源装置１０において対角の位置に配されたＬＦランプユニット３００ａおよびＲＲランプユニット３００ｄのそれぞれのランプ電源５００ａ、５００ｄが第１のラインＬ１により商用電源に接続され、ランプユニット３００ａ、３００ｄにそれぞれ対応するＬＦ温度ヒューズ４０１ａおよびＲＲ温度ヒューズ４０１ｄが第１のラインＬ１において直列接続されても良い。この場合、もう一方の対角の位置に配されたＬＲランプユニット３００ｂおよびＲＦランプユニット３００ｃのそれぞれのランプ電源５００ｂ、５００ｃが第２のラインＬ２により商用電源に接続され、ランプユニット３００ｂ、３００ｃにそれぞれ対応するＬＲ温度ヒューズ４０１ｂおよびＲＦ
温度ヒューズ４０１ｃが第２のラインＬ２において直列接続される。
【０１０３】
このような構成とすれば、たとえば、ＬＦ温度ヒューズ４０１ａまたはＲＲ温度ヒューズ４０１ｄが切れて、ＬＦランプユニット３００ａおよびＲＲランプユニット３００ｄの双方が停止しても、対角の位置にあるＬＲランプユニット３００ｂおよびＲＦランプユニット３００ｃの点灯を継続することにより、一部のランプユニット３００のみが使用されることにより発生する画像の輝度むらを極力抑制しつつ、投写運転継続することができる。
【０１０４】
さらに、上記実施の形態では、左側の前後２つのランプユニット３００に対する冷却能力と右側の前後２つのランプユニット３００に対する冷却能力とが相対的に遠くなる構成とされている。しかしながら、４つのランプユニット３００に対する冷却能力が全て近くなるように、本体キャビネット１内に複数の冷却装置が配される構成とされても良い。
【０１０５】
さらに、上記実施の形態のプロジェクタは、４つのランプユニット３００が備えられた、いわゆる４灯式のプロジェクタであるが、４灯以外の多灯式のプロジェクタであっても良い。
【０１０６】
さらに、上記実施の形態では、ランプ光源を用いたランプユニット３００により光源装置１０が構成されているが、ＬＥＤ光源やレーザ光源を用いた光源ユニットにより光源装置１０が構成されても良い。
【０１０７】
この他、本発明の実施の形態は、特許請求の範囲に示された技術的思想の範囲内において、適宜、種々の変更が可能である。
【符号の説明】
【０１０８】
１０  光源装置
１８  第１排気ユニット（冷却部）
１９  第２排気ユニット（冷却部）
２０  第１電源冷却ファン（冷却部）
２３  第１冷却ユニット（冷却部）
２４  第２冷却ユニット（冷却部）
１０２、１０３、１０４  液晶パネル（光変調部）
２２０  ミラー部材（第１の反射部、第２の反射部）
３００ａ  ＬＦランプユニット（第１の光源）
３００ｂ  ＬＲランプユニット（第２の光源）
３００ｃ  ＲＦランプユニット（第３の光源）
３００ａ  ＲＲランプユニット（第４の光源）
４０１ａ  ＬＦ温度ヒューズ（第１の温度保護素子）
４０１ｂ  ＬＲ温度ヒューズ（第２の温度保護素子）
４０１ｃ  ＲＦ温度ヒューズ（第３の温度保護素子）
４０１ｄ  ＲＲ温度ヒューズ（第４の温度保護素子）
５００ａ  ＬＦランプ電源（第１の電源）
５００ｂ  ＬＲランプ電源（第２の電源）
５００ｃ  ＲＦランプ電源（第３の電源）
５００ｄ  ＲＲランプ電源（第４の電源）
ＳＬ  電力供給ライン
Ｌ１  第１のライン
Ｌ２  第２のライン
【図１】
2013029680.tif 000003
【図２】
2013029680.tif 000004
【図３】
2013029680.tif 000005
【図４】
2013029680.tif 000006
【図５】
2013029680.tif 000007
【図６】
2013029680.tif 000008
【図７】
2013029680.tif 000009
【図８】
2013029680.tif 000010
【図９】
2013029680.tif 000011